(57)【要約】【課題】通信事業者の設備ビル内において、所内光設備の組合せの中から、指定されたサービス条件を満足し、所内設備全体の設備使用率の向上を図ることが可能なルート選定方法およびルート選定装置を提供する。【解決手段】管理端末１０の制御部１２には、ーブルルートを選定する選定部１２ａと、この選定部１２ａにより選定されたケーブルルートに含まれる全ての心線ルートの中から、サービス条件に適合した心線ルートを抽出する抽出部１２ｂと、抽出された心線ルートのうち最もコストが低い心線ルートを選定する評価部１３ｃとが設けられている。【選択図】        図１
2005006397.tif 000002
【特許請求の範囲】
【請求項１】
複数の心線を含むケーブルとこのケーブルを収容し前記心線を接続するポートを複数有するラックとを少なくとも含むネットワークに関し、特定の始点と終点との間を接続するルートを選定する方法であって、
前記ネットワーク中に含まれるケーブルとラックに関する情報を取得する第１のステップと、
任意のラックの終点側に収容されているケーブルを抽出する第２のステップと、
この第２のステップで抽出された前記ケーブルの終点側が収容されているラックを抽出する第３のステップと、
この第３のステップで抽出された前記ラックのうち、収容されているケーブルの数が最も少ないラックと、このラックと前記任意のラックとを接続するケーブルとをルートとして選定する第４のステップと
を含むことを特徴とするルート選定方法。
【請求項２】
請求項１記載のルート選定方法において、
前記第４のステップは、始点側に収容されているケーブルの数が最も少ない前記第３のステップで抽出されたラックと、このラックと前記任意のラックとを接続するケーブルとをルートとして選定する
ことを特徴とするルート選定方法。
【請求項３】
請求項２記載のルート選定方法において、
前記第４のステップは、終点側に収容されているケーブルの数が最も少ない前記第３のステップで抽出されたラックと、このラックと前記任意のラックとを接続するケーブルとをルートとして選定する
ことを特徴とするルート選定方法。
【請求項４】
請求項１〜３の何れか１項に記載のルート選定方法において、
前記第２〜４のステップを繰り返し、前記特定の始点と前記特定の終点とを接続するケーブルとラックとを選定する
ことを特徴とするルート選定方法。
【請求項５】
請求項４記載のルート選定方法において、
前記ルートを構成するケーブルとラックにそれぞれ含まれる心線とポートとの組合せによって定まる心線ルートのうち、任意のサービス条件に適合する心線ルートを抽出する第５のステップ
をさらに有することを特徴とするルート選定方法。
【請求項６】
請求項５記載のルート選定方法において、
前記サービス条件に適合する心線ルートがない場合、このルートを記録し、前記第２〜４のステップを新たに繰り返し、新たなルートを選定する
ことを特徴とするルート選定方法。
【請求項７】
請求項５記載のルート選定方法において、
前記抽出された心線ルートが複数ある場合、これらの心線ルートそれぞれのコストを評価し、コスト最小の心線ルートを選定する第６のステップ
をさらに有することを特徴とするルート選定方法。
【請求項８】
請求項５〜７の何れか１項に記載のルート選定方法において、
前記サービス条件は、スプリッタの分岐数、コネクタの反射特性、通信サービス波長、ケーブル種別またはフィルタ種別のうち少なくとも１つを含む
ことを特徴とするルート選定方法。
【請求項９】
複数の心線を含むケーブルとこのケーブルを収容し前記心線を接続するポートを複数有するラックとを少なくとも含むネットワークに関し、特定の始点と終点との間を接続するルートを選定する装置であって、
前記ネットワーク中に含まれる前記ケーブルと前記ラックに関する情報を取得する情報取得手段と、
前記特定の始点および前記特定の終点に関する情報を検出する検出手段と、
任意のラックの終点側に収容されているケーブルを抽出し、この抽出されたケーブルの終点側が収容されているラックを抽出し、この抽出されたラックのうち、収容されているケーブルの数が最も少ないラックと、このラックと前記任意のラックとを接続するケーブルとをルートとして選定する選定手段と
を備えたことを特徴とするルート選定装置。
【請求項１０】
請求項９記載のルート選定装置において、
前記選定手段は、始点側に収容されているケーブルの数が最も少ない前記抽出されたラックと、このラックと前記任意のラックとを接続するケーブルとをルートとして選定する
ことを特徴とするルート選定装置。
【請求項１１】
請求項１０記載のルート選定装置において、
前記選定手段は、前記抽出されたラックの始点側に収容されているケーブルの数が同じ場合、終点側に収容されているケーブルの数が最も少ない前記抽出されたラックと、このラックと前記任意のラックとを接続するケーブルとをルートとして選定する
ことを特徴とするルート選定装置。
【請求項１２】
請求項９〜１１の何れか１項に記載のルート選定装置において、
前記選定手段は、前記ルートの選定を繰り返し、前記特定の始点と前記特定の終点とを接続するケーブルとラックとを選定する
ことを特徴とするルート選定装置。
【請求項１３】
請求項１２記載のルート選定装置において、
前記情報取得手段は、任意のサービス条件に関する情報を取得し、
前記ルートを構成するケーブルとラックにそれぞれ含まれる心線とポートとの組合せによって定まる心線ルートのうち、前記サービス条件に適合する心線ルートを抽出する抽出手段
をさらに有することを特徴とするルート選定装置。
【請求項１４】
請求項１３記載のルート選定装置において、
前記サービス条件に適合する心線ルートがない場合、このルートを記録する記録手段
をさらに有し、
前記選定手段は、新たなルートを選定する
ことを特徴とするルート選定装置。
【請求項１５】
請求項１３記載のルート選定装置において、
前記抽出された心線ルートが複数ある場合、これらの心線ルートそれぞれのコストを評価し、コスト最小の心線ルートを選定する評価手段
をさらに有することを特徴とするルート選定装置。
【請求項１６】
請求項１３〜１５の何れか１項に記載のルート選定装置において、
前記サービス条件は、スプリッタの分岐数、コネクタの反射特性、通信サービス波長、ケーブル種別またはフィルタ種別のうち少なくとも１つを含む
ことを特徴とするルート選定装置。
【発明の詳細な説明】
【０００１】
【発明の属する技術分野】
本発明は、通信ルートの選定に関し、より具体的には設備ビル内に配設された所内光設備の組合せを選定するルート選定方法およびルート選定装置に関するものである。
【０００２】
【従来の技術】
近年、インターネットやマルチメディアサービスの普及・発展に伴い、ネットワークの高速化、大容量化が進められており、今後のアクセスネットワークの高速化、大容量化の課程では、光ファイバを用いたサービスが主流となることが予想されている。アクセス系光設備は、管理の性質上、ＯＬＴ（Ｏｐｔｉｃａｌ  Ｌｉｎｅ  Ｔｅｒｍｉｎａｌ）等の装置と、光ファイバケーブル、心線、コネクタ、アダプタ（片端アダプタ、中継アダプタ、分岐アダプタ）、スプリッタ、ケーブルラック等の媒体とに分けられる。このアクセス系光設備を構成する媒体は、その設置形態や運用方法から事業者の設備ビルの外部に配線されている媒体（以下、所外光媒体という）と内部に配設されている媒体（以下、所内光媒体という）とに分類できる。なお、以下において、所内光媒体と装置とを含めたものを所内光設備という。
【０００３】
所内光媒体は、面的に広がる所外光媒体を設備ビルに集約するため、ビル内に膨大かつ高密度に設置されている。そして、それらは設備の制約上複数のケーブルラック（以下、ラックという）に収容され、そのラック間に光ファイバや光スプリッタ等が複雑に配線されている。このような所内光媒体の中でも、分岐アダプタやケーブルは、例えば、分岐数、サービス波長、コネクタ反射特性、ケーブル種別、フィルタ種別などの物品固有の特性を有し、提供可能なサービスに影響を及ぼす。したがって、サービスを適切に提供するために通信事業者は、上記所内光媒体の適切な組合せを選定する必要がある。
【０００４】
膨大な所内光媒体を適切に組合せるためには、所内光媒体自身と所内光媒体の位置（接続位置、搭載位置）を正しく識別し、データベースに蓄積する管理技術と、評価指標を明確にし、望むべき結果を導き出すためのプロセスを定義した検索方法が必要であるが、何れの技術も確立されている（例えば、特許文献１、非特許文献１、非特許文献２参照。）。
【０００５】
例えば、始点・終点間に複数存在するケーブルルート（ラックとケーブルの接続経路）を構成する心線ルート（ラックに搭載されるポートとケーブルを構成する心線の接続経路）の全ての組合せを検索し、ユーザの利便性に影響が強い要因（迅速なサービス提供に影響を及ぼす接続作業箇所数、損失に影響を及ぼす接続点数など）を変数とするコスト関数を適用して、全ての組合せのうちコストが最小となる心線ルートを選定することが提案されている（例えば、非特許文献１、非特許文献２参照。）。
【０００６】
なお、出願人は、本明細書に記載した先行技術文献情報で特定される先行技術文献以外には、本発明に関連する先行技術文献を出願時までに発見するには至らなかった。
【０００７】
【特許文献１】
特開２００１−１４２９５２号公報
【特許文献２】
特開平８−２７１２７５号公報
【非特許文献１】
井上晃、他３名著、「サービス適応性と施工性を考慮した所内光ファイバ最適選定アルゴリズム」、信学技報ＴＭ２００２−４、Ｐ．２３〜２８
【非特許文献２】
東野光徳、他２名著、「所内光媒体ルート探索アルゴリズム」、信学会総合大会Ｂ−１４−３、Ｐ．４６５
【０００８】
【発明が解決しようとする課題】
しかしながら、上述したコスト関数を適用した方法によると、得られる選定結果は、ユーザにとって利便性が高いものであるが、所内光媒体の共有度合い（ある所内光媒体を利用して構成することが可能なケーブルルートの大小）や使用効率を反映したものではない。したがって、共有度合いが低い所内光媒体で構成されるケーブルルートが存在する場合でも、ユーザにとって利便性の高いケーブルルートが選択されるため、そのケーブルルートの使用率が極端に高くなってしまうという問題が発生していた。この問題を解決するために、所内光媒体の増設工事等を行い、その利便性の高いケーブルルートを増強すると、新たな選択結果もそのケーブルルートを選択することになり、結果として共有度合いの低いケーブルルートはますます選択されないという悪循環が発生していた。
また、これまでの選定方法では、始点・終点間の全てのケーブルルート候補として抽出し、各々に対して、心線ルートの組合せを検索し、評価していたため、選定処理に多くの時間を必要としていた。
そこで、本発明は上述したような課題を解決するためになされたものであり、通信事業者の設備ビル内において、所内光設備の組合せの中から、指定されたサービス条件を満足し、所内光設備の設備使用率の向上を可能とするルート選定方法およびルート選定装置を提供することを目的とする。
【０００９】
【課題を解決するための手段】
上述した課題を解決するために本発明にかかるルート選定方法は、複数の心線を含むケーブルとこのケーブルを収容し前記心線を接続するポートを複数有するラックとを少なくとも含むネットワークに関し、特定の始点と終点との間を接続するルートを選定する方法であって、前記ネットワーク中に含まれるケーブルとラックに関する情報を取得する第１のステップと、任意のラックの終点側に収容されているケーブルを抽出する第２のステップと、この第２のステップで抽出された前記ケーブルの終点側が収容されているラックを抽出する第３のステップと、この第３のステップで抽出された前記ラックのうち、収容されているケーブルの数が最も少ないラックと、このラックと前記任意のラックとを接続するケーブルとをルートとして選定する第４のステップとを含むことを特徴とする。
【００１０】
上記ルート選定方法において、第４のステップは、始点側に収容されているケーブルの数が最も少ない前記第３のステップで抽出されたラックと、このラックと前記任意のラックとを接続するケーブルとをルートとして選定するようにしてもよい。
【００１１】
また、上記ルート選定方法において、第４のステップは、前記第３のステップで抽出された前記ラックの始点側に収容されているケーブルの数が同じ場合、終点側に収容されているケーブルの数が最も少ない前記第３のステップで抽出されたラックと、このラックと前記任意のラックとを接続するケーブルとをルートとして選定するようにしてもよい。
【００１２】
上記ルート選定方法において、第２〜４のステップを繰り返し、前記特定の始点と前記特定の終点とを接続するケーブルとラックとを選定するようにしてもよい。
【００１３】
上記ルート選定方法において、ルートを構成するケーブルとラックにそれぞれ含まれる心線とポートとの組合せによって定まる心線ルートのうち、任意のサービス条件に適合する心線ルートを抽出する第５のステップをさらに有するようにしてもよい。
【００１４】
上記ルート選定方法において、サービス条件に適合する心線ルートがない場合、このルートを記録し、第２〜４のステップを新たに繰り返し、新たなルートを選定するようにしてもよい。
また、上記ルート選定方法において、抽出された心線ルートが複数ある場合、これらの心線ルートそれぞれのコストを評価し、コスト最小の心線ルートを選定する第６のステップをさらに有するようにしてもよい。
【００１５】
上記ルート選定方法において、サービス条件には、スプリッタの分岐数、コネクタの反射特性、通信サービス波長、ケーブル種別またはフィルタ種別のうち少なくとも１つが含まれるようにしてもよい。
【００１６】
また、本発明にかかるルート選定装置は、複数の心線を含むケーブルとこのケーブルを収容し前記心線を接続するポートを複数有するラックとを少なくとも含むネットワークに関し、特定の始点と終点との間を接続するルートを選定する装置であって、前記ネットワーク中に含まれる前記ケーブルと前記ラックに関する情報を取得する情報取得手段と、前記特定の始点および前記特定の終点に関する情報を検出する検出手段と、任意のラックの終点側に収容されているケーブルを抽出し、この抽出されたケーブルの終点側が収容されているラックを抽出し、この抽出されたラックのうち、収容されているケーブルの数が最も少ないラックと、このラックと前記任意のラックとを接続するケーブルとをルートとして選定する選定手段とを備えたことを特徴とする。
【００１７】
上記ルート選定装置において、選定手段は、始点側に収容されているケーブルの数が最も少ない前記抽出されたラックと、このラックと前記任意のラックとを接続するケーブルとをルートとして選定するようにしてもよい。
【００１８】
上記ルート選定装置において、選定手段は、前記抽出されたラックの始点側に収容されているケーブルの数が同じ場合、終点側に収容されているケーブルの数が最も少ない前記抽出されたラックと、このラックと前記任意のラックとを接続するケーブルとをルートとして選定するようにしてもよい。
【００１９】
上記ルート選定装置において、選定手段は、ルートの選定を繰り返し、特定の始点と特定の終点とを接続するケーブルとラックとを選定するようにしてもよい。
【００２０】
上記ルート選定装置において、情報取得手段は、任意のサービス条件に関する情報を取得し、ルートを構成するケーブルとラックにそれぞれ含まれる心線とポートとの組合せによって定まる心線ルートのうち、サービス条件に適合する心線ルートを抽出する抽出手段をさらに有するようにしてもよい。
【００２１】
上記ルート選定装置において、サービス条件に適合する心線ルートがない場合、このルートを記録する記録手段をさらに有し、選定手段は、新たなルートを選定するようにしてもよい。
【００２２】
上記ルート選定装置において、抽出された心線ルートが複数ある場合、これらの心線ルートそれぞれのコストを評価し、コスト最小の心線ルートを選定する評価手段をさらに有するようにしてもよい。
【００２３】
上記ルート選定装置において、サービス条件は、スプリッタの分岐数、コネクタの反射特性、通信サービス波長、ケーブル種別またはフィルタ種別のうち少なくとも１つが含まれるようにしてもよい。
【００２４】
【発明の実施の形態】
以下、図面を参照して本発明の実施の形態について詳細に説明する。図１は、本実施の形態にかかるルート選定装置の構成を示すブロック図である。
本実施の形態にかかるルート選定装置１は、それぞれネットワークで接続された管理端末１０と、データベース２０と、携帯端末３０とから構成される。
【００２５】
管理端末１０は、データベース２０および携帯端末３０と各種データの送受信を行うＩ／Ｆ１１と、制御部１２と、記憶部１３と、ケーブルルートや心線ルート等の各種情報を表示する表示部１４と、ケーブルルートや心線ルートを選定するための各種条件等の操作入力を検出する入力部１５とを少なくとも有する。
【００２６】
ここで、ルートとは、本実施の形態では、例えば設備ビル内に設置された光設備の組合せにより構成されるネットワークにおいて、特定の始点と特定の終点が存在する場合、始点側に存在する任意の光設備と、終点側に存在する任意の光設備とを結ぶ光設備の接続経路のことを意味する。
ここで、始点とは、本実施の形態では、例えば所外光媒体と接続するラック等の所内光媒体に該当する。また、終点とは、例えば設備ビル内に配設されたＯＬＴ等の装置に該当する。
ケーブルルートとは、本実施の形態では、設備ビル内に配設された所内光設備からなるネットワークにおいて、特定の始点と特定の終点との間の接続経路、特にラックとケーブルとからなる接続経路のことを意味する。
また、心線ルートとは、本実施の形態では、ラックに搭載されるポートと、ケーブルを構成する心線との接続経路のことを意味する。一般にケーブルは、複数の心線を有し、ラックもまた複数のポートを有することから、１つのケーブルルートには複数の心線ルートが含まれる。
【００２７】
ラックに複数搭載されているポートには、始点側のケーブルの心線が接続されるポート（始点側ポート）と、終点側のケーブルの心線が接続されるポート（終点側ポート）が存在する。この始点側ポートと終点側ポートとは、それぞれ一対一に対応している。したがって、始点側ポートに接続された心線には、その始点側ポートに対応する終点側ポートに接続された心線から信号が入力される。このようなポートを搭載したラックと、このラックに収容されるケーブルが組合せされることにより、設備ビル内にネットワークが構築される。
【００２８】
制御部１２は、ＣＰＵなどのマイクロプロセッサとその周辺回路からなるコンピュータ（ハードウェア資源）を有し、所定のプログラムを実行することにより本実施の形態にかかるルート選定装置１の各部を制御する機能部である。記憶部１３は、制御部１２の制御に用いる各種データおよびプログラムを記憶する回路部である。
制御部１２には、機能手段として、ケーブルルートを選定する選定部１２ａと、この選定部１２ａにより選定されたケーブルルートに含まれる全ての心線ルートの中から、サービス条件に適合した心線ルートを抽出する抽出部１２ｂと、抽出された心線ルートのうち最もコストが低い心線ルートを選定する評価部１３ｃとが設けられている。これらの機能部は、上記ハードウェア資源とプログラムとを協働させることにより実現されている。
【００２９】
データベース２０は、管理端末１０および携帯端末３０と各種データの送受信を行うＩ／Ｆ２１と、ケーブルルートおよび心線ルートを選定する設備ビル内に配設された各所内光設備の接続位置や搭載位置等に関するデータが格納される設備ＤＢ２２と、サービス条件に適合する心線ルートがないケーブルルートを記録するＮＧルートＤＢ２３とを少なくとも有する。
【００３０】
携帯端末３０は、管理端末１０およびデータベース２０と各種データの送受信を行うＩ／Ｆ３１と、予めそれぞれの所内光設備に付与された識別情報を読み出すリーダ３２と、選定されたケーブルルートや心線ルート等を表示する表示部３３とを少なくとも有する。
リーダ３２は、例えば所内光設備に添付された２次元バーコードを読み取り、その所内光設備の接続位置や搭載位置等の情報を含む識別情報を取得すると、この取得した識別情報をＩ／Ｆ３１を介してデータベース２０の設備ＤＢ２１に送信する。これにより設備ＤＢ２１には、心線ルートを選定する設備ビル内に配設された各所内光設備の接続位置や搭載位置等に関するデータが構築される。このようにして構築された設備ＤＢ２１を用いて、本実施の形態にかかるルート選定装置１は、ケーブルルートおよび心線ルートを選定する。
【００３１】
次に、図２を参照して、本実施の形態にかかるルート選定装置１の動作について説明する。図２は、本実施の形態にかかるルート選定装置１の動作を示すフローチャートである。
入力部１５が設備管理者による始点と終点に関するデータの操作入力を検出すると（ステップＳ２０１）、選定部１２ａは、設備ＤＢ２２を参照して、入力された始点と終点とを結ぶケーブルルートを選定する（ステップＳ２０２）。このケーブルルートの選定方法の詳細については後述する。
【００３２】
ケーブルルートが選定されると、抽出部１２ｂは、そのケーブルルートに含まれる心線ルートを抽出し（ステップＳ２０３）、その中からサービス条件に適合する心線ルートを抽出する（ステップＳ２０４）。ここで、サービス条件には、スプリッタの分岐数、コネクタの反射特性、通信サービス波長、ケーブル種別またはフィルタ種別等が含まれる。これらのサービス条件は、ユーザに提供するサービスの種類に応じて適宜設定される。
【００３３】
サービス条件に適合した心線ルートがある場合（ステップＳ２０５：ＹＥＳ）、評価部１２ｃは、その心線ルートのコストを評価し（ステップＳ２０６）、最もコストの低い心線ルートを選定結果として表示部１４に表示する（ステップＳ２０７）。なお、選定結果は、携帯端末３０の表示部３３に表示するようにしてもよい。これにより、携帯端末３０を保持している設備管理者は、その選定結果に基づいて設備の増設工事等を行うことが可能となるので、とても使い勝手がよい。
【００３４】
サービス条件に適合した心線ルートがない場合（ステップＳ２０５：ＮＯ）、評価部１２ｃは、選定されたケーブルルートをＮＧルートＤＢ２３に記録し（ステップＳ２０８）、ステップＳ２０２に戻り、選定部１２ａにより新たなケーブルルートを選定する。
ここで、ＮＧルートＤＢ２３に記録されるケーブルルートに関するデータの一例を図３に示す。図３は、ＮＧルートＤＢ２３に記録されるケーブルルートの一例を示す図である。ＮＧルートＤＢ２３に記録されるケーブルルートに関するデータには、例えば、受付管理番号、選定日時、選定回数、サービス名、ケーブルルート構成（可変長）、ＮＧ理由（分岐数に満足できない、サービス波長が適応しないなど）等が含まれる。
このように、本実施の形態によれば、サービス条件を満足する共有度合いの低いケーブルルートや心線ルートがない場合、そのケーブルルートのデータをデータベースに記録することにより、共有度合いの低いケーブルルートに不足している物品を識別することが可能となるため、適切な増設計画を立てることが可能となる。これより、共有度合いの高い物品の増設工事の繰り返しにより生じていた無駄な投資の抑制と、無駄な設備となっている箇所への必要物品の補充による設備の効率的運用が可能となる。
【００３５】
なお、ＮＧルートＤＢ２３に記録されたケーブルルートは、管理端末１０の表示部１９に表示してもよい。これにより設備計画者は、どのサービス選定で、どのケーブルルート構成で、どのような原因によってサービス条件に適合した心線ルートがないという事象が発生するか等を把握することが可能となる。
また、ＮＧルートＤＢ２３に記録されたケーブルルートは、携帯端末３０の表示部３３に表示してもよい。これにより、設備管理者は、所内光設備の増強工事等を行う際に、どのケーブルルートを増強すればよいかを容易に把握することが可能となる。
【００３６】
次に、図４を参照して、ケーブルルートの選定動作について説明する。図４は、ケーブルルートの選定動作を示すフローチャートである。
入力部１５が管理者によるネットワーク中の始点と終点に関するデータの操作入力を検出すると（ステップＳ４０１）、選定部１２ａは、設備ＤＢ２２を参照して、始点となる光設備（ノード）に接続可能なラック等の光設備（中間架）を検索する（ステップＳ４０２）。中間架が抽出されると、選定部１２ａは、設備ＤＢ２２を参照して、抽出された各々の中間架（他のノード）の始点側に接続されているケーブル等の光設備（リンク）の数量を検出する（ステップＳ４０３）。
【００３７】
検出された始点側のケーブル数が異なる場合（ステップＳ４０４：ＮＯ）、選定部１２ａは、検出された数量が一番少ない中間架を、ケーブルルートの構成要素として選定する（ステップＳ４０５）。
【００３８】
検出された始点側のケーブル数が同じ場合（ステップＳ４０４：ＹＥＳ）、選定部１２ａは、各中間架の終点側に接続されたケーブルの数量を検出する（ステップＳ４０８）。
検出された終点側のケーブル数が異なる場合（ステップＳ４０９：ＮＯ）、選定部１２ａは、選定部１２ａは、検出された数量が一番少ない中間架を、ケーブルルートの構成要素として選定する（ステップＳ４０５）。
一方、検出された終点側のケーブル数が同じ場合（ステップＳ４０９：ＹＥＳ）、選定部１２ａは、各中間架を候補として保持する。この保持された中間架の終点側の光設備が例えばＯＬＴ等の装置ではない場合、すなわちラック等の所内光媒体である場合（ステップＳ４０６：ＮＯ）、選定部１２ａは、ステップＳ４０２に戻り、保持された各中間架の次の接続先となる光設備を選択する。
【００３９】
ケーブルルートの構成要素として選定された中間架の終点側の光設備が装置である場合、または保持された何れかの中間架の終点側の光設備が装置である場合（ステップＳ４０６：ＹＥＳ）、選定部１２ａは、その装置が終点であるか否かを確認する（ステップＳ４０６）。
選択された装置が終点ではない場合（ステップＳ４０７：ＮＯ）、ケーブルルートを選定する方向が間違っていたことを意味するので、選定部１２ａは、選択したケーブルルートを廃棄する（ステップＳ４１０）。
選択された装置が終点である場合（ステップＳ４０７：ＹＥＳ）、選定部１２ａは、これまでに選定してきた始点となる光設備と終点となる装置との間を結ぶケーブルルートを、抽出部１２ｂに送信する。
【００４０】
上述したケーブルルートの選定動作について図５を参照してさらに詳細に説明する。図５は、所内光媒体と装置とを含むネットワークの構成の一例を示す模式図である。なお、図５では、始点をラック１０１、終点を装置３０１と設定する。
【００４１】
まず、選定部１２ａは、始点であるラック１０１の終点側に接続されているケーブルを検索する。ケーブルの検索の結果、ラック１０１の終点側に接続されているケーブルとしてケーブル２０１〜２０３が抽出されると、選定部１２ａは、これらのケーブル２０１〜２０３によってラック１０１と接続されている他のラックまたは装置を検索する。ケーブル２０１〜２０３と接続されているラックとしてラック１０４〜１０６が抽出されると、選定部１２ａは、これらのラック１０４〜１０６の始点側にそれぞれ接続されているケーブルの数量を検索する。ラック１０４の始点側に接続されているケーブルは、ケーブル２０１、２０４の２本である。また、ラック１０５の始点側に接続されているケーブルは、ケーブル２０２、２０５、２０７の３本である。さらに、ラック１０６の始点側に接続されているケーブルは、ケーブル２０３、２０６、２０８の３本である。したがって、選定部１２ａは、始点側に接続されているケーブルが最も少ないラック１０４と、このラック１０４と始点であるラック１０１とを接続するケーブル２０１をケーブルルートの構成要素として選定する。
【００４２】
次に、選定部１２ａは、ラック１０４からのケーブルルートを選定する。まず、選定部１２ａは、ラック１０４の終点側に接続されているケーブルを検索する。ケーブル検索の結果、ラック１０４の終点側に接続されているケーブルとしてケーブル２０９〜２１１が抽出されると、選定部１２ａは、これらのケーブル２０９〜２１１によってラック１０４と接続されている他のラックまたは装置を検索する。ケーブル２０９〜２１１に接続されているラックとしてラック１０７〜１０９が抽出されると、選定部１２ａは、これらのラック１０７〜１０９の始点側に接続されているケーブルの数量を検索する。ラック１０７〜１０９の始点側に接続されているケーブルの数は、それぞれ３本ずつであり、等しい。このため、選定部１２ａは、ラック１０７〜１０９の終点側に接続されているケーブルの数量を検索する。ラック１０７の終点側に接続されているケーブルは、ケーブル２１８〜２２０の３本、ラック１０８の終点側に接続されているケーブルは、ケーブル２２１、２２２の２本、ラック１０９の終点側に接続されているケーブルは、ケーブル２２３〜２２５の３本である。したがって、選定部１２ａは、終点側に接続されているケーブルが最も少ないラック１０８と、既に選定されているラック１０４とを接続するケーブル２１０とを、ケーブルルートの構成要素として選定する。
【００４３】
次に、選定部１２ａは、ラック１０８からのケーブルルートを選定する。まず、選定部１２ａは、ラック１０８の終点側に接続されているケーブルを検索する。ケーブル検索の結果、ラック１０８の終点側に接続されているケーブルとしてケーブル２１９、２２２が抽出されると、選定部１２ａは、これらのケーブル２１９、２２２によって接続されている他のラックまたは装置を検索する。ケーブル２１９、２２２によって接続されている装置として、装置３０１、３０３が抽出されると、選定部１２ａは、これらの装置３０１、３０３の始点側に接続されているケーブルの数量を検索する。装置３０１、３０３の始点側に接続されているケーブルは、それぞれ３本ずつであり、等しい。このため、選定部１２ａは、装置３０１、３０３の終点側に接続されているケーブルの数量を検索する。装置３０１、３０３の終点側に接続されているケーブルは、当然存在しないので、数が等しいことになる。したがって、選定部１２ａは、装置３０１、３０２を候補として保持するが、装置３０１、３０２は装置であるので、これらの装置の何れかが終点であるかを、判断する。終点として装置３０１が予め設定したあるので、選定部１２ａは、ラック１０８と装置３０１とを接続するケーブル２２１をケーブルルートの構成要素として選定する。一方、選定部１２ａは、装置３０３は終点ではないので、始点であるラック１０１と装置３０３とを結ぶケーブルルートを廃棄する。
結果として、選定部１２ａは、ケーブル２０１、ラック１０４、ケーブル２１０、ラック１０８およびケーブル２２１を、始点であるラック１０１と終点である装置３０１とを接続するケーブルルートとして選定する。
【００４４】
このように、本実施の形態によれば、共有度合いが低いケーブルルートが存在する場合は、これを優先して選定するので、所内光設備全体の設備使用率の向上を図ることが可能となる。すなわち、サービスを提供できない状態等の行き詰まりを回避し、より多くの需要を割り当てることが可能になる。したがって、所内光設備の増設サイクルを延伸させることができる。
【００４５】
また、本実施の形態によれば、所内光設備の設備使用率の向上が図られるため、共有度合いを考慮しない選定方法と比較して、同一設備モデルにおけるサービスの割り当て可能数が増加する。
【００４６】
さらに、本発明によれば、ケーブルルートの候補を設備使用効率の高いルートに絞り込むため、心線ルートの組み合わせを検索する処理や、評価に要する処理時間が大幅に短縮される。
【００４７】
なお、本実施の形態において、管理端末１０は、ケーブルルートや心線ルートの選定結果に基づいて、設備ビル内に配設された所内光設備の増強工事等を行う必要がある箇所を抽出し、携帯端末３０の表示部３３に表示するようにしてもよい。これにより、設備管理者は、所内光設備を増強すべき箇所を簡単に把握できるようになるので、増強工事を容易に行うことができる。
【００４８】
また、本実施の形態において、始点を所外光媒体と接続するラック等の所内光媒体、終点を設備ビル内に配設されたＯＬＴ等の装置と設定したが、始点と終点はケーブルルートを選定するために任意に設定したものであるので、例えば始点を設備ビル内に配設されたＯＬＴ等の装置に、終点を所外光媒体と接続するラック等の所内光媒体に変更することも可能である。
【００４９】
さらに、本実施の形態によれば、ラック等の所内光設備の始点側と終点側に接続されているケーブルの数に基づいてケーブルルートを選定したが、始点側と終点側のどちらか一方に接続されているケーブルに基づいてケーブルルートを選定するようにしてもよい。また、始点側と終点側の両方に接続されているケーブルの合計の数量に基づいて、ケーブルルートを選定するようにしてもよい。
【００５０】
【発明の効果】
以上説明したように、本発明によれば、共有度合いが低いケーブルルートが存在する場合は、これを優先して選定するので、所内光設備の設備使用率の向上を図ることが可能となる。すなわち、サービスを提供できない状態等の行き詰まりを回避し、より多くの需要を割り当てることが可能になる。したがって、所内光設備の増設サイクルを延伸させることができる。
【００５１】
また、本発明によれば、所内光設備の設備使用率の向上が図られるため、共有度合いを考慮しない選定方法と比較して、同一設備モデルにおけるサービスの割り当て可能数が増加し、選定処理時間を短縮することが可能になる。
【００５２】
さらに、本発明によれば、ケーブルルートの候補を設備使用効率の高いルートに絞り込むため、心線ルートの組み合わせを検索する処理や、評価に要する処理時間が大幅に短縮される。
【００５３】
また、本発明によれば、サービス条件を満足する共有度合いの低いケーブルルートや心線ルートがない場合、そのケーブルルートのデータをデータベースに記録することにより、共有度合いの低いケーブルルートに不足している物品を識別することが可能となるため、適切な増設計画を立てることが可能となる。これより、共有度合いの高い物品の増設工事の繰り返しにより生じていた無駄な投資の抑制と、無駄な設備となっている箇所への必要物品の補充による設備の効率的運用が可能となる。
【図面の簡単な説明】
【図１】本実施の形態にかかるルート選定装置の構成を示すブロック図である。
【図２】本実施の形態にかかるルート選定装置１の動作を示すフローチャートである。
【図３】ＮＧルートＤＢ２３に記録されるケーブルルートの一例を示す図である。
【図４】ケーブルルートの選定動作を示すフローチャートである。
【図５】所内光媒体と装置とを含むネットワークの構成の一例を示す模式図である。
【符号の説明】
１…ルート選定装置、１０…管理端末、１１…Ｉ／Ｆ、１２…制御部、１２ａ…選定部、１２ｂ…抽出部、１２ｃ…評価部、１３…記憶部、１４…表示部、１５…入力部、２０…データベース、２１…Ｉ／Ｆ、２２…設備ＤＢ、２３…ＮＧルートＤＢ、３０…携帯端末、３１…Ｉ／Ｆ、３２…リーダ、３３…表示部、１０１〜１０９…ラック、２０１〜２２５…ケーブル、３０１〜３０３…装置。
【図１】
2005006397.tif 000003
【図２】
2005006397.tif 000004
【図３】
2005006397.tif 000005
【図４】
2005006397.tif 000006
【図５】
2005006397.tif 000007